(57)【要約】      （修正有）【課題】ラチェット工具の利便性を大きく向上させるスイッチ構造の提供。【解決手段】本考案のラチェット工具のスイッチ構造は、あらゆる場所で任意にラチェット工具を使用可能にするもので、スパナ本体１、ラチェット２、制御ブロック３、該弾動スイッチ４、４’からなり、スパナ本体１は少なくとも一端にラチェット２を設置し、ラチェット２と制御ブロック３は係合関係を有し、制御ブロック３は弾動スイッチ４、４’を利用し、その正、反回転方向の制御を調整し、弾動スイッチ４、４’はスパナ本体１の上下両側に設置し、両面調整の機能を実現し、またスパナ本体１の平面において平坦或いは陥没設置する。【選択図】図２
0003116358.tif 000002
【実用新案登録請求の範囲】
【請求項１】
スパナ本体を含み、
該スパナ本体は少なくとも一端にラチェットを設置し、該ラチェットと制御ブロックは係合関係を呈し、該制御ブロックは弾動スイッチを利用し、その正、反回転方向の制御を調整し、
該弾動スイッチは該スパナ本体の上下両側に設置し、両面調整の機能を実現することを特徴とするラチェット工具のスイッチ構造。
【請求項２】
前記弾動スイッチは前記スパナ本体の平面において平坦或いは陥没設置することを特徴とする請求項１記載のラチェット工具のスイッチ構造。
【考案の詳細な説明】
【技術分野】
【０００１】
本考案は一種のラチェット工具のスイッチ構造に関する。特に一種のスパナ両側に設置する弾動スイッチを利用し、双方向制御の弾動スイッチ機能を達成するラチェット工具のスイッチ構造に係る。
【背景技術】
【０００２】
ラチェット工具は便利であるため、一般に広く使用されている工具である。また機能も時代の進歩に連れて変化しており、製造業における使用に必要とされる水準を満たしている。
しかし、より利便性を追求する現代消費者のニーズに応えるためには、ラチェット工具の弾動スイッチも改良と発展が求められている。
【０００３】
中華民国特許公告第４８８３４４号「ラチェット工具」は工具ヘッドの片側に単一の弾動スイッチを設置するものであるが、この種の単一構造は使用方式、位置が異なると大きな不便を引起すことがある。具体的にその欠点は以下の通りである。
公知のラチェット工具は片側だけに弾動スイッチを設置するが、比較的広い空間で使用する時には問題なくスムーズに使用可能である。しかし、狭い空間或いは障害物があるため角度が大きくなる施工である場合には、その回転角度が小さく、かつ手は特定の角度で該弾動スイッチに触れることができない。このような状況で使用者が反対方向への回転を調整しようとすると、先ず該工具を完全に取り出さなければ調整することはできないため、非常に不便である。
さらに一般の施工場所では、工程がまだ完全に完成していない状態では照明設備が完備されていない状況である。その場合に、使用者がラチェットのスイッチ位置を調整しようとするなら、先ず手でその位置に触れてから改めて調整を行うことになり、使用者にとっては大きな負担になっている。
この種の状況を改善するため、業界では照明機能を具えたラチェット工具が開発されているが、該構造も一つの問題を解決できるだけで、完全に理想的とはいい難い。
【特許文献１】中華民国特許公告第４８８３４４号公報
【考案の開示】
【考案が解決しようとする課題】
【０００４】
公知構造には以下の欠点があった。
すなわち公知のラチェット工具の弾動スイッチは片側だけの設置であるため、狭い空間或いは障害物があるため角度が大きくなる施工である場合に、使用者が反対方向への回転を調整しようとするなら、該工具を完全に取り出さなければ調整することができないため、非常に不便であった。さらに工程がまだ完全に完成しておらず照明設備が完備されていない状況で、使用者がラチェットのスイッチ位置を調整しようとする場合には、先ず手でその位置に触れなければ調整を行うことはできず、使用者にとっては大きな負担であった。これに対して照明機能を具えたラチェット工具が開発されてはいるが、完全に理想的とは言えない。
本考案は上記構造の問題点を解決したラチェット工具のスイッチ構造を提供するものである。
【課題を解決するための手段】
【０００５】
本考案の請求項１に記載のラチェット工具のスイッチ構造は、スパナ本体を含み、
該スパナ本体は少なくとも一端にラチェットを設置し、該ラチェットと制御ブロックは係合関係を呈し、該制御ブロックは弾動スイッチを利用し、その正、反回転方向の制御を調整し、
該弾動スイッチは該スパナ本体の上下両側に設置し、両面調整の機能を実現することを特徴とする。
【０００６】
請求項２に記載のラチェット工具のスイッチ構造は、請求項１の場合において、前記弾動スイッチは前記スパナ本体の平面において平坦或いは陥没設置することを特徴とする。
【考案の効果】
【０００７】
上記のように、本考案はスパナ両側に弾動スイッチを設置するため、両側の弾動スイッチを利用し、あらゆる場所で任意にラチェット工具を使用可能で、その機能を十分に発揮させることができ、公知のラチェット工具のスイッチ構造が特定の場所或いはある状況下で使用不能であるという欠点を改善することができる。すなわち本考案に設置する弾動スイッチはその使用の利便性を大きく向上させることができる。また本考案は公知構造に弾動スイッチを一個加えただけの構造であるため、製造コストを上げることなく機能を増強した極めてコストパフォーマンスの高い構造である。
【考案を実施するための最良の形態】
【０００８】
図１、２、３に示すように、本考案は主に本体１を含む。該本体１は少なくとも一端にラチェット２を設置し、該ラチェット２と制御ブロック３は係合関係を呈する。該制御ブロック３は弾動スイッチ４、４’を利用しその回転方向を調整する。
該弾動スイッチ４、４’は該本体１の両側に設置し、該弾動スイッチ４、４’は同時に該制御ブロック３の回転方向を調整し、両面調整の機能を達成する。
【０００９】
次に図４に示すように、本考案の使用時には使用角度が大きい或いは狭い空間での作業の場合には、非常に容易に該弾動スイッチ４、４’に触れることができ、その回転角度が小さくかつ手で特定の角度において該弾動スイッチ４、４’に触れることができないため、工具を取り出さなければならないという欠点が生じることはない。しかも該本体１両側には共に弾動スイッチ４、４’を設置するため、使用者の必要に応じて片方を選択し使用する。こうして使用者の作業効率を高めることができる。
【００１０】
さらに不完全或いは照明設備が不良な作業場所で使用する場合にも、該本体２両側には共に該弾動スイッチ４、４’を設置するため、使用時には直接任意の側において該弾動スイッチ４、４’により簡単にその必要とする方向を調整することができ、使用上の面倒を避けることができる。
また本考案の両面スイッチ調整構造は、図４に示すように、該弾動スイッチ４、４’は平坦式或いは陥没式の形態で該本体１の平面に設置することができるため、使用時には、作業物件(図示なし)片側に近接する弾動スイッチ４、４’は、工具を下に置く或いは取り出す時に、不注意で接触しその回転方向に影響を及ぼすことはない。
【図面の簡単な説明】
【００１１】
【図１】本考案ラチェット工具のスイッチ構造の外観指示図である。
【図２】本考案ラチェット工具のスイッチ構造の分解構造図である。
【図３】本考案ラチェット工具のスイッチ構造の立体透視図である。
【図４】本考案ラチェット工具のスイッチ構造の実施例図である。
【図５】本考案ラチェット工具のスイッチ構造の別種の実施例図である。
【図６】本考案ラチェット工具のスイッチ構造のさらに別種の実施例図である。
【符号の説明】
【００１２】
１  本体
２  ラチェット
３  制御ブロック
４  弾動スイッチ
４’弾動スイッチ
【図１】
0003116358.tif 000003
【図２】
0003116358.tif 000004
【図３】
0003116358.tif 000005
【図４】
0003116358.tif 000006
【図５】
0003116358.tif 000007
【図６】
0003116358.tif 000008